(57)【要約】【課題】被写体の位置を特定可能な撮影装置及び画像ファイル提供システムを提供する。【解決手段】ＣＣＤ１４の受光面に被写体像を結像させると共に、被写体像の焦点位置を調整し、ＣＣＤ１４を介して被写体像を示す画像情報を取得する際に、自己の位置を示す位置情報を検知すると共にＣＣＤ１４の受光面の向きを示す方位情報を検出し、焦点位置に基づいて、ＣＣＤ１４の受光面とＣＣＤ１４により被写体像が取得される被写体との距離を導出し、自己の位置情報、自己の方位情報、及び被写体との距離に基づいて被写体の位置情報を特定する。【選択図】図２
2009111827.tif 000002
【特許請求の範囲】
【請求項１】
撮像素子の受光面に被写体像を結像させると共に、被写体像の焦点位置を調整する調整手段と、
前記撮像素子を介して被写体像を示す画像情報を取得する取得手段と、
自己の位置を示す位置情報を検知する位置検知手段と、
前記撮像素子の受光面の向きを示す方位情報を検出する方位検出手段と、
前記調整手段による被写体像の焦点位置に基づいて、前記受光面と前記被写体像が示す被写体との距離を導出する導出手段と、
前記位置検知手段により検知された位置情報、前記方位検出手段により検出された前記方位情報、及び前記導出手段により導出された距離に基づく前記被写体の位置情報を特定する被写体位置特定手段と、
を備えた撮影装置。
【請求項２】
予め設定された標準時刻を計時して時刻情報として出力する計時手段と、
前記取得手段により取得された画像情報に、当該画像情報を取得する際に前記計時手段から出力された時刻情報、及び当該画像情報を取得する際に前記被写体位置特定手段により特定された位置情報を付加した画像ファイルを生成する生成手段を更に備えた請求項１記載の撮影装置。
【請求項３】
前記取得手段により取得された画像情報により示される画像領域から、顔らしさの度合いが所定レベルよりも高い領域を顔として検出する顔検出手段を更に備え、
前記生成手段は、前記画像ファイルに前記顔検出手段により検出された領域の特徴量を示す情報を更に含める請求項２記載の撮影装置。
【請求項４】
撮影したい被写体の位置情報を受信する受信手段と、
前記取得手段により取得された画像を表示する表示手段と、
前記受信手段により前記位置情報を受信した場合に、前記取得手段による前記位置情報の取得、前記方位検知手段による前記方位情報の検出を行い、前記受信手段により受信した被写体の位置情報と自己の位置情報及び方位情報を案内するための案内画面を前記表示手段に表示する表示制御手段と、
を更に備えた請求項１記載の撮影装置。
【請求項５】
前記受信手段により受信した前記位置情報、前記取得手段により取得した前記位置情報、及び前記方位検知手段により検出した前記方位情報に基づいて、自己の位置からみた撮影したい被写体の方位情報を特定する被写体方位特定手段を更に備え、
前記表示制御手段は、前記撮像素子を介して所定周期毎に取得される画像情報を前記表示手段に順次表示すると共に、前記案内画面として、前記被写体方位特定手段により特定された被写体方位情報を前記画像情報に重ねて表示する
請求項４記載の撮影装置。
【請求項６】
前記表示制御手段は、前記被写体位置特定手段により特定した位置情報が、前記受信手段により受信した位置情報と一致する場合、前記被写体位置特定手段による位置情報の特定対象とした被写体像を示すエリアを強調する表示を行なう請求項４又は請求項５記載の撮影装置。
【請求項７】
前記調整手段は、前記位置検知手段により検知された位置情報及び前記受信手段により受信した前記位置情報との差に基づいて、前記撮影したい被写体に焦点が合う焦点位置を導出し、前記焦点位置の調整範囲を、導出した焦点位置を含む範囲に制限する請求項４〜請求項６の何れか１項記載の撮影装置。
【請求項８】
前記受信手段は、前記撮影したい被写体像の顔を示す画像の所定の特徴量を示す顔情報を更に受信し、
前記取得手段により取得された画像情報により示される画像領域から、顔らしさの度合いが所定レベルよりも高い領域を顔として検出する顔検出手段と、
前記顔検出手段により検出された領域の所定の特徴量と、前記受信手段により受信した前記顔情報との一致度を導出する一致度導出手段と、
を更に備え、
前記一致度導出手段により導出した一致度が所定レベルよりも低い場合には、前記表示手段に再度撮影を実行する旨を促す表示を行なう請求項４〜６の何れか１項記載の撮影装置。
【請求項９】
前記顔検出手段及び前記一致度導出手段を外部に設けた請求項８記載の撮影装置。
【請求項１０】
請求項２に記載の撮影装置により生成された前記画像ファイルを蓄積する蓄積手段と、
撮影時刻及び被写体位置を撮影条件として受信する受信手段と、
前記蓄積手段に蓄積された前記画像ファイルの中から前記受信手段により受信した撮影条件を満たす前記画像ファイルを検索する検索手段と、
前記検索手段により検索された画像ファイルを出力する出力手段と、
を備えた画像ファイル提供システム。
【発明の詳細な説明】
【技術分野】
【０００１】
本発明は、撮影により被写体像を示す画像情報を取得する撮影装置及び画像ファイル提供システムに関する。
【背景技術】
【０００２】
近年、撮影装置の利用方法は多様化しており、監視カメラなど固定カメラ等を利用して静止画を撮影するなど、種々の利用方法が提案されている。
【０００３】
例えば、特許文献１には、定点カメラを用いた監視システムにより、非接触方式のＩＣカードがリーダー装置の定点を通過したときにリーダー装置近傍を定点カメラで撮影し、時刻情報と共に撮影画像を蓄積することが記載されている。
【０００４】
また、特許文献２には、通信ネットワークを用いた防犯システムにおいて、監視区域毎に固定カメラからの撮影画像を保存しておき、ユーザが必要な監視区域の撮影画像を呼出して利用することが記載されている。
【０００５】
特許文献３には、遠隔操作により撮影アングルを変更して撮影できる固定カメラにおいて、撮影不許可範囲を指定可能にすることが記載されている。
【特許文献１】特開２００１−１６７３０６公報
【特許文献２】特開２００２−１６５２１１公報
【特許文献３】特開２００１−３３３３１９公報
【発明の開示】
【発明が解決しようとする課題】
【０００６】
しかしながら、上記各特許文献に記載の技術では、定点カメラを用いており、撮影範囲が固定化されているために取得できる静止画像の構図が限定されてしまう。定点カメラでなく、例えば、カメラを持つ第三者に撮影を依頼する場合、撮影者である第三者が被写体の容姿や位置等を把握する必要があり、撮影を依頼することが困難である、という問題点があった。
【０００７】
本発明は上記問題点を解決するためになされたものであり、被写体の位置を特定可能な撮影装置及び画像ファイル提供システムを提供することを目的とする。
【課題を解決するための手段】
【０００８】
上記目的を達成するために、請求項１の発明は、撮像素子の受光面に被写体像を結像させると共に、被写体像の焦点位置を調整する調整手段と、前記撮像素子を介して被写体像を示す画像情報を取得する取得手段と、自己の位置を示す位置情報を検知する位置検知手段と、前記撮像素子の受光面の向きを示す方位情報を検出する方位検出手段と、前記調整手段による被写体像の焦点位置に基づいて、前記受光面と前記被写体像が示す被写体との距離を導出する導出手段と、前記位置検知手段により検知された位置情報、前記方位検出手段により検出された前記方位情報、及び前記導出手段により導出された距離に基づく前記被写体の位置情報を特定する被写体位置特定手段と、を備えている。
【０００９】
これにより、撮影する被写体の位置情報を特定することができる。
【００１０】
本発明は、請求項２記載の発明のように、予め設定された標準時刻を計時して時刻情報として出力する計時手段と、前記取得手段により取得された画像情報に、当該画像情報を取得する際に前記計時手段から出力された時刻情報、及び当該画像情報を取得する際に前記被写体位置特定手段により特定された位置情報を付加した画像ファイルを生成する生成手段を更に備えた構成としてもよい。
【００１１】
また、本発明は、請求項３記載の発明のように、前記取得手段により取得された画像情報により示される画像領域から、顔らしさの度合いが所定レベルよりも高い領域を顔として検出する顔検出手段を更に備え、前記生成手段は、前記画像ファイルに前記顔検出手段により検出された領域の特徴量を示す情報を更に含めることもできる。
【００１２】
一方、本発明は、請求項４記載の発明のように、撮影したい被写体の位置情報を受信する受信手段と、前記取得手段により取得された画像を表示する表示手段と、前記受信手段により前記位置情報を受信した場合に、前記取得手段による前記位置情報の取得、前記方位検知手段による前記方位情報の検出を行い、前記受信手段により受信した被写体の位置情報と自己の位置情報及び方位情報を案内するための案内画面を前記表示手段に表示する表示制御手段と、を更に備えた構成としてもよい。
【００１３】
また、本発明は、請求項５記載の発明のように、前記受信手段により受信した前記位置情報、前記取得手段により取得した前記位置情報、及び前記方位検知手段により検出した前記方位情報に基づいて、自己の位置からみた撮影したい被写体の方位情報を特定する被写体方位特定手段を更に備え、前記表示制御手段は、前記撮像素子を介して所定周期毎に取得される画像情報を前記表示手段に順次表示すると共に、前記案内画面として、前記被写体方位特定手段により特定された被写体方位情報を前記画像情報に重ねて表示することもできる。
【００１４】
さらに、本発明は、請求項６記載の発明のように、前記表示制御手段は、前記被写体位置特定手段により特定した位置情報が、前記受信手段により受信した位置情報と一致する場合、前記被写体位置特定手段による位置情報の特定対象とした被写体像を示すエリアを強調する表示を行なうようにしてもよい。
【００１５】
また、本発明は、請求項７記載の発明のように、前記調整手段は、前記位置検知手段により検知された位置情報及び前記受信手段により受信した前記位置情報との差に基づいて、前記撮影したい被写体に焦点が合う焦点位置を導出し、前記焦点位置の調整範囲を、導出した焦点位置を含む範囲に制限する請求項４〜請求項６の何れか１項記載の撮影装置。
【００１６】
本発明は、請求項８記載の発明のように、前記受信手段は、前記撮影したい被写体像の顔を示す画像の所定の特徴量を示す顔情報を更に受信し、前記取得手段により取得された画像情報により示される画像領域から、顔らしさの度合いが所定レベルよりも高い領域を顔として検出する顔検出手段と、前記顔検出手段により検出された領域の所定の特徴量と、前記受信手段により受信した前記顔情報との一致度を導出する一致度導出手段と、を更に備え、前記一致度導出手段により導出した一致度が所定レベルよりも低い場合には、前記表示手段に再度撮影を実行する旨を促す表示を行なうようにしてもよい。
【００１７】
また、本発明は、請求項９記載の発明のように、前記顔検出手段及び前記一致度導出手段を外部に設けてもよい。
【００１８】
また、請求項１０記載の発明は、請求項２に記載の撮影装置により生成された前記画像ファイルを蓄積する蓄積手段と、撮影時刻及び被写体位置を撮影条件として受信する受信手段と、前記蓄積手段に蓄積された前記画像ファイルの中から前記受信手段により受信した撮影条件を満たす前記画像ファイルを検索する検索手段と、前記検索手段により検索された画像ファイルを出力する出力手段と、を備えている。
【発明の効果】
【００１９】
以上説明したように、本発明によれば、被写体の位置を特定可能な撮影装置及び画像ファイル提供システムを提供できる、という効果を有する。
【発明を実施するための最良の形態】
【００２０】
以下、図面を参照して、本発明を実施するための最良の形態について詳細に説明する。
【００２１】
（第１実施形態）
まず、図１を参照して、本形態に係るデジタルカメラ１０の外観上の構成を説明する。
【００２２】
同図に示すように、デジタルカメラ１０の正面には、被写体像を結像させるためのレンズ１２と、撮影する被写体の構図を決定するために用いられるファインダ５８と、が備えられている。また、デジタルカメラ１０の上面には、撮影を実行する際に撮影者によって押圧操作されるレリーズボタン（所謂シャッター）５６Ａと、電源スイッチ５６Ｂと、が備えられている。
【００２３】
なお、本実施の形態に係るレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２４】
そして、本実施の形態に係るデジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２５】
一方、デジタルカメラ１０の背面には、前述のファインダ５８の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するためにスライド操作されるモード切替スイッチ５６Ｃと、ＬＣＤ３０の表示領域における上・下・左・右の４方向の移動方向を示す４つの矢印キーを含んで構成された十字カーソルボタン５６Ｄと、が備えられている。
【００２６】
また、デジタルカメラ１０の背面には、ＬＣＤ３０にメインメニュー画面を表示する際に押圧操作されるメニューキー５６Ｅと、メニュー画面で指定された処理を実行する際に押圧操作される実行キー５６Ｆと、各種操作を中止（キャンセル）する際に押圧操作されるキャンセルキー５６Ｇと、が備えられている。
【００２７】
次に、図２を参照して、本実施の形態に係るデジタルカメラ１０の電気系の構成を説明する。同図に示されるように、デジタルカメラ１０は、デジタルカメラ１０全体の動作を司るＣＰＵ（中央処理装置）３２と、ＣＰＵ３２による各種処理の実行時のワークエリア等として用いられる第１メモリ３８と、主として撮影により得られたデジタル画像データを記憶する第２メモリ４０と、を含んで構成されている。これらＣＰＵ３２、第１メモリ３８、第２メモリ４０は、各々バスＢＵＳを介して相互に接続されている。
【００２８】
従って、ＣＰＵ３２では、第１メモリ３８及び第２メモリ４０へのアクセスと、メディアコントローラ４２を介した記録メディア４２Ａへのアクセスと、をそれぞれ行うことができる。
【００２９】
なお、第１メモリ３８は、例えば、ＳＤＲＡＭ（Synchronous Dynamic Random Access Memory）により、第２メモリ４０は、例えば、ＶＲＡＭ（Video RAM）により、それぞれ構成することができる。
【００３０】
また、同図に示すように、デジタルカメラ１０には、前述のレンズ１２を含んで構成された光学ユニット１３と、レンズ１２の光軸後方に配設されたＣＣＤ（Charge Coupled Device）１４と、主としてＣＣＤ１４を駆動させるためのタイミング信号を生成してＣＣＤ１４に供給するタイミングジェネレータ４８が設けられている。
【００３１】
タイミングジェネレータ４８の入力端子はＣＰＵ３２に、出力端子はＣＣＤ１４に各々接続されており、ＣＣＤ１４の駆動は、ＣＰＵ３２によりタイミングジェネレータ４８を介して制御される。
【００３２】
さらに、本実施の形態に係る光学ユニット１３に含まれるレンズ１２は複数枚のレンズを有し、焦点距離の変更（変倍）が可能なズームレンズとして構成されており、ズームモータ５０Ａ、焦点調整モータ５０Ｂ及び絞り駆動モータ５０Ｃを含んで構成されるレンズ駆動機構を備えている。モータ駆動部５０Ａ、５０Ｂ、５０Ｃの出力端子はズームモータ１３Ａ、焦点調整モータ１３Ｂ及び絞り駆動モータ１３Ｃにそれぞれ接続されている。
【００３３】
これらのモータ駆動部５０Ａ、５０Ｂ、５０Ｃの入力端子は、ＣＰＵ３２にそれぞれ接続されており、レンズ駆動機構を構成するズームモータ１３Ａ、焦点調整モータ１３Ｂ及び絞り駆動モータ１３Ｃは各々ＣＰＵ３２の制御下でモータ駆動部５０から供給された駆動信号によって駆動される。
【００３４】
ＣＰＵ３２は、光学ズーム倍率を変更する際にはズームモータ１３Ａを駆動制御して光学ユニット１３に含まれるレンズ１２の焦点距離を変化させる。
【００３５】
また、デジタルカメラ１０には、相関二重サンプリング回路（以下、「ＣＤＳＡＭＰ」という。）１６と、入力されたアナログ信号をデジタルデータに変換するアナログ／デジタル変換器（以下、「ＡＤＣ」という。）１８と、を含んで構成されている。ＣＤＳＡＭＰ１６の入力端子はＣＣＤ１４の出力端子に、ＣＤＳＡＭＰ１６の出力端子はＡＤＣ１８の入力端子に、各々接続されている。
【００３６】
ＣＤＳＡＭＰ１６では、ＣＣＤ１４の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００３７】
また、前述のレリーズボタン５６Ａ、電源スイッチ５６Ｂ、モード切替スイッチ５６Ｃ、十字カーソルボタン５６Ｄ、メニューキー５６Ｅ、実行キー５６Ｆ及びキャンセルキー５６Ｇを含む操作部５６はＣＰＵ３２に接続されており、ＣＰＵ３２は、これら操作部５６の各々に対する操作状態を常時把握できる。
【００３８】
一方、デジタルカメラ１０は、所定容量のラインバッファを内蔵すると共に入力されたデジタル画像データを第２メモリ４０の所定領域に直接記憶させる制御を行う画像入力コントローラ２０と、デジタル画像データに対して各種画像処理を施す画像信号処理回路２２と、所定の圧縮形式でデジタル画像データに圧縮処理を施す一方、圧縮処理されたデジタル画像データに伸張処理を施す圧縮・伸張処理回路２４と、デジタル画像データにより示される画像やメニュー画面等をＬＣＤ３０に表示させるための信号を生成してＬＣＤ３０に供給する表示制御回路２８と、を含んで構成されている。なお、画像入力コントローラ２０の入力端子には、上記ＡＤＣ１８の出力端子が接続されている。
【００３９】
また、デジタルカメラ１０は、上記ＡＦ機能を働かせるために必要とされる物理量を検出するＡＦ検出回路３４と、上記ＡＥ機能及びＡＷＢ（Automatic White Balance）機能を働かせるために必要とされる物理量を検出するＡＥ・ＡＷＢ検出回路３６と、を含んで構成されている。
【００４０】
なお、ＡＦ検出回路３４で検出される物理量としては、ＣＣＤ１４による撮像によって得られた画像のＡＦ領域における輝度の高周波成分を示す評価値（コントラスト値）を検出する。また、ＡＥ・ＡＷＢ検出回路３６で検出される物理量としては、ＣＣＤ１４を介して取得された画像の明るさを示す輝度情報と、色差情報を検出する。
【００４１】
すなわち、本実施の形態では、ＣＰＵ３２により、上記ＡＦ機能として、ＣＣＤ１４による撮像によって得られた画像のコントラストが最大となるように上記モータ駆動部５０Ａを介して焦点調整モータ１３Ｂを駆動制御することによりフォーカスレンズの位置を設定する、所謂ＴＴＬ（Through The Lens）方式を用いる。
【００４２】
また、デジタルカメラ１０は、本体に着脱可能な記録メディア４２Ａをデジタルカメラ１０でアクセス可能とするためのメディアコントローラ４２を含んで構成されている。
【００４３】
更に、デジタルカメラ１０は、画像において顔らしさが所定の閾値よりも大きい領域を検出する顔検出回路４４と、デジタルカメラ１０の現在位置を示す位置情報Ｐを検知する位置検知回路４６と、デジタルカメラ１０のレンズが向けられている方向を示す方位情報Ｒを検出する方位検出回路４７と、外部機器と無線又は有線による情報通信を行う通信制御回路５２と、被写体とデジタルカメラ１０本体との距離Ｄを導出する距離導出回路５４と、を含んで構成されている。
【００４４】
なお、位置検知回路４６としては、ＧＰＳ（Global Positioning System）等の既知の手法により位置を特定する回路を、方位検出回路４７としては、地磁気を利用して方位を特定する回路等を、それぞれ適用できる。
【００４５】
また、距離導出回路５４は、被写体の位置情報Ｑを把握している場合は、上記位置検知回路４６により取得したデジタルカメラ１０の位置情報Ｐと被写体の位置情報Ｑとに基づいて距離Ｄを導出する。また、被写体の位置情報Ｑを把握していない場合は、ＣＣＤ１４を介して取得された画像の被写体を示す領域を対象としてＡＦ機能を働かせて合焦位置を特定し、特定した合焦位置に基づいて被写体までの距離Ｄを導出する。
【００４６】
以上の画像入力コントローラ２０、画像信号処理回路２２、圧縮・伸張処理回路２４、表示制御回路２８、ＡＦ検出回路３４、ＡＥ・ＡＷＢ検出回路３６、メディアコントローラ４２、顔検出回路４４、位置検知回路４６、方位検出回路４７、通信制御回路５２及び距離導出回路５４は、各々ＣＰＵ３２等が接続された上述のバスＢＵＳを介して相互に接続されている。
【００４７】
従って、ＣＰＵ３２は、画像入力コントローラ２０、画像信号処理回路２２、圧縮・伸張処理回路２４、及び表示制御回路２８の各々の作動の制御と、ＡＦ検出回路３４及びＡＥ・ＡＷＢ検出回路３６により検出された物理量の取得と、メディアコントローラ４２を介した記録メディア４２Ａへのアクセスと、顔検出回路４４による顔領域の検出と、位置検知回路４６による位置情報Ｐの検知と、方位検出回路４７による方位情報Ｒの検出と、通信制御回路５２による外部機器との通信と、距離導出回路を用いた被写体までの距離Ｄの導出と、を各々行うことができる。
【００４８】
また、ＣＰＵ３２は、上記ＡＥ機能として、ＡＥ・ＡＷＢ検出回路３６による検出結果に基づいて露出状態を設定する。なお、露出状態は、絞り、シャッタースピード、撮影感度等の相互関係によって決まる。ＣＰＵ３２は、上記焦点調整モータ１３Ｂを駆動制御して焦点位置を調整すると共に、絞り駆動モータ１３Ｃを駆動制御してＣＣＤ１４に入射する光量を調整する。
【００４９】
ここで、図３に示されるように、本実施の形態に係るデジタルカメラ１０は、撮影依頼端末６０との無線による通信が可能に構成されている。撮影依頼端末６０は、依頼ボタン６２を備えている。
【００５０】
図４に示されるように、撮影依頼端末６０は、依頼ボタン６２の押圧操作を検出する操作状態検出部６４と、位置検知部６６と、情報発信部６８と、を含んで構成されており、操作状態検出部６４は位置検知部６６に、位置検知部６６は情報発信部６８に、それぞれ接続されている。
【００５１】
操作状態検出部６４は、依頼ボタン６２が押圧操作されたことを検出した場合に、撮影依頼端末６０を起動させ、位置検知部６６による撮影依頼端末６０の位置情報Ｑの検知を行う。位置検知部６６は、上記デジタルカメラ１０の位置検知回路４６と同様に、ＧＰＳ等の手法により撮影依頼端末６０の位置情報Ｑを検知する。
【００５２】
情報発信部６８では、位置検知部６６により検知した位置情報Ｑにプロテクトをかけ、予め撮影依頼端末６０に付与された当該撮影依頼端末６０に固有のＩＤ情報と共に撮影依頼情報として発信する。
【００５３】
デジタルカメラ１０では、撮影依頼端末６０から発信された撮影依頼情報を受信されると、ＣＰＵ３２により、撮影依頼受信処理が実行される。
【００５４】
次に、本実施の形態に係るデジタルカメラ１０の作用を説明する。
【００５５】
デジタルカメラ１０における撮影時の全体的な動作として、まず、ＣＣＤ１４による光学ユニット１３を介した撮像が行なわれ、被写体像を示す信号がＣＣＤ１４から順次出力される。そして、ＣＣＤ１４から出力された信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００５６】
画像入力コントローラ２０は内蔵しているラインバッファにＡＤＣ１８から順次入力されるデジタル画像データを蓄積して一旦第２メモリ４０の所定領域に格納する。
【００５７】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号を第２メモリ４０の上記所定領域とは異なる領域に格納する。
【００５８】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、表示制御回路２８を介して順次ＬＣＤ３０に出力する。これによってＬＣＤ３０にスルー画像が表示されることになる。
【００５９】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点で第２メモリ４０に格納されているＹＣ信号を、圧縮・伸張処理回路２４によって所定の圧縮形式で圧縮した後に記録メディア４２Ａに画像ファイルとして記録する。
【００６０】
一方、撮影依頼端末６０では、撮影依頼者Ｔにより依頼ボタン６２が押圧操作されると、撮影依頼端末６０の位置情報Ｑの検知を行う。そして、検知した位置情報Ｑにプロテクトをかけ、予め撮影依頼端末６０に付与された当該撮影依頼端末６０に固有のＩＤ情報と共に撮影依頼情報として発信する。
【００６１】
図５は、デジタルカメラ１０で撮影依頼情報を受信した場合に、ＣＰＵ３２により実行される撮影依頼受信処理プログラムの処理の流れを示すフローチャートである。以下、同図を参照して本第１実施形態に係る撮影依頼受信処理について説明する。
【００６２】
まず、ステップ１００では、受信した撮影依頼情報に含まれるＩＤ情報の照合を行い、次のステップ１０２では、照合の結果、一致するＩＤがあったか否かを判定する。なお、ＩＤ情報の照合は、予めデジタルカメラ１０に登録されたＩＤ情報と受信した撮影依頼情報に含まれるＩＤ情報との比較により実行される。
【００６３】
ステップ１０２で肯定判定となった場合は、ステップ１０４に移行して、撮影依頼情報に含まれる位置情報のプロテクトを解除した後にステップ１０６に移行する。一方、ステップ１０２で否定判定となった場合は、本撮影依頼受信処理を終了する。すなわち、本実施の形態では、デジタルカメラ１０は、予めデジタルカメラ１０にＩＤ情報が登録されている撮影依頼端末６０からの撮影依頼だけを受け入れる。
【００６４】
ステップ１０６では、依頼者（撮影依頼端末６０）の位置情報Ｑを特定し、その後にステップ１０８に移行して、自己（デジタルカメラ１０）の位置情報Ｐを検知し、次のステップ１１０では、デジタルカメラ１０のレンズが向けられている方向を示す方位情報Ｒを検出する。
【００６５】
次のステップ１１２では、位置情報Ｑ及び位置情報Ｐとの距離を依頼者との距離Ｄとして導出し、その後にステップ１１４に移行する。
【００６６】
ステップ１１４では、依頼者の位置情報Ｑとデジタルカメラ１０の現在の位置情報Ｐとの関係を示す案内画面を生成し、その後にステップ１１６に移行して、生成した案内画面をＬＣＤ３０に表示した後にステップ１１８に移行する。
【００６７】
図６は、ステップ１１４で生成される案内画面の一例がＬＣＤ３０に表示された状態を示している。同図に示されるアルファベットは、東西南北を示しており、三角形の現在地マーク７０の表示位置でデジタルカメラ１０の位置情報Ｐを示しており、三角形の最も鋭角である頂点の向きでレンズ１２の方位情報Ｒを示している。
【００６８】
また、同図に示す案内画面では、北（同図にＮで示す方向）を画面の上方向に固定すると共に、デジタルカメラ１０の位置情報Ｐを画面中央に固定して、撮影依頼端末６０の位置情報Ｑとの関係を示している。なお、同図に示される案内画面の右下に示すように、被写体との距離Ｄを把握しやすくするために、スケールを表示してもよい。
【００６９】
ステップ１１８では、表示解除指示の入力待ちを行い、次のステップ１２０では、案内画面の表示を解除し、その後にステップ１２２に移行して、上述したようにレリーズボタン５６Ａの操作に基づく撮影処理を実行した後に本撮影依頼受信処理を終了する。
【００７０】
なお、本第１実施形態では、ステップ１１８で表示解除指示の入力待ちを行う形態について説明したが、本発明はこれに限定されるものではない。
【００７１】
例えば、図５のステップ１１８で否定判定となった場合に、再びステップ１０８に戻るようにして、表示解除指示が入力されるまでの間、案内画面を順次更新して表示するようにしてもよい。このようにした場合、デジタルカメラ１０を持つ撮影者は、撮影依頼端末６０を持つ依頼者の位置を特定しやすくなる。
【００７２】
（変形例１−１）
上記第１実施形態で説明した撮影依頼受信処理では、案内画面として地図情報を作成して表示する形態について説明したが、本変形例１−１では、スルー画像を利用して依頼者の位置を案内する形態について説明する。
【００７３】
なお、本変形例１−１は、撮影依頼受信処理プログラムは上記第１実施形態と異なるが、デジタルカメラ１０の構成及び撮影依頼端末６０の構成は上記第１実施形態に係る構成と同一であるので、同一の符号を付して記載し、ここでの図示及び説明を省略する。
【００７４】
図７は、デジタルカメラ１０で撮影依頼情報を受信した場合に、ＣＰＵ３２により実行される撮影依頼受信処理プログラムの処理の流れを示すフローチャートである。以下、同図を参照して本変形例１−１に係る撮影依頼受信処理について説明する。
【００７５】
まず、ステップ１３０では、受信した撮影依頼情報に含まれるＩＤ情報の照合を行い、次のステップ１３２では、照合の結果、一致するＩＤがあったか否かを判定する。なお、ＩＤ情報の照合は、予めデジタルカメラ１０に登録されたＩＤ情報と受信した撮影依頼情報に含まれるＩＤ情報との比較により実行される。
【００７６】
ステップ１３２で肯定判定となった場合は、ステップ１３４に移行して、撮影依頼情報に含まれる位置情報のプロテクトを解除した後にステップ１３６に移行する。一方、ステップ１３２で否定判定となった場合は、本撮影依頼受信処理を終了する。すなわち、本変形例では、デジタルカメラ１０は、予めデジタルカメラ１０にＩＤ情報が登録されている撮影依頼端末６０からの撮影依頼だけを受け入れる。
【００７７】
ステップ１３６では、依頼者（撮影依頼端末６０）の位置情報Ｑを特定し、その後にステップ１３８に移行して、自己（デジタルカメラ１０）の位置情報Ｐ及びデジタルカメラ１０のレンズが向けられている方向を示す方位情報Ｒを検出する。
【００７８】
次のステップ１４０では、位置情報Ｑ及び位置情報Ｐに基づいて、デジタルカメラ１０から依頼者までの距離Ｄと、依頼者の方位情報Ｓと、を導出し、その後にステップ１４２に移行する。
【００７９】
図８には、デジタルカメラ１０が使用される環境の一例が示されている。同図に示されるように、デジタルカメラ１０の方位情報Ｒと依頼者の方位情報Ｓとが異なる場合、デジタルカメラ１０の撮影範囲には依頼者は存在しない。
【００８０】
そこで、ステップ１４２では、方位情報Ｒと方位情報Ｓとが一致するか否かを判定し、当該判定が否定判定となった場合はステップ１４４に移行して、依頼者のいる方向を示す誘導マーク７４を画面に表示し、その後再びステップ１３８に戻る。
【００８１】
図９（Ａ）には、図８に示す状態でデジタルカメラ１０のＬＣＤ３０に表示されるスルー画像の一例が示されている。同図に示す例では、誘導マーク７４として、スルー画像に重ねて矢印を表示している。これにより、撮影者は依頼者のいる方向が把握しやすくなり、撮影者が、誘導マーク７４が示す方向にデジタルカメラ１０の向きを変えていくことで、徐々に方位情報Ｒと方位情報Ｓとの差が縮まっていく。
【００８２】
また、ステップ１４２で肯定判定となった場合はステップ１４６に移行して、ＡＦ機能を働かせてＡＦ制御を行い、その後にステップ１４８に移行して、合焦被写体までの距離ＤＦを導出した後にステップ１５０に移行する。
【００８３】
ステップ１５０では、距離ＤＦが距離Ｄと一致するか否かを判定し、当該判定が否定判定となった場合は、撮影者がまだ依頼者の位置を捉えていないと判断し、再びステップ１３８に戻る。
【００８４】
ステップ１５０で肯定判定となった場合は、ステップ１５２に移行して合焦被写体にターゲットマーク７６を表示し、その後にステップ１５４に移行する。
【００８５】
図９（Ｂ）には、方位情報Ｒと方位情報Ｓとが一致した場合に、デジタルカメラ１０のＬＣＤ３０に表示されるスルー画像の一例が示されている。同図に示す例では、スルー画像に重ねて、合焦被写体を囲むようにターゲットマーク７６を表示している。
【００８６】
ステップ１５４では、レリーズボタン５６Ａの操作に基づく撮影処理を実行し、その後に本撮影依頼受信処理を終了する。
【００８７】
変形例１−１によれば、人ごみの中で依頼者を探しにくい場合など、撮影者が依頼者を特定することが困難な場合でも撮影者による依頼者の特定をサポートできる。
【００８８】
（変形例１−２）
本変形例１−２では、依頼者の位置情報に応じて依頼者に合焦する位置でフォーカスレンズを固定しながら、スルー画像を利用して依頼者の位置を案内する形態について説明する。
【００８９】
なお、本変形例１−２では、撮影依頼受信処理プログラムは上記第１実施形態と異なるが、デジタルカメラ１０の構成及び撮影依頼端末６０の構成は上記第１実施形態に係る構成と同一であるので、同一の符号を付して記載し、ここでの図示及び説明を省略する。
【００９０】
図１０は、デジタルカメラ１０で撮影依頼情報を受信した場合に、ＣＰＵ３２により実行される撮影依頼受信処理プログラムの処理の流れを示すフローチャートである。以下、同図を参照して本変形例１−２に係る撮影依頼受信処理について説明する。
【００９１】
まず、ステップ１６０では、受信した撮影依頼情報に含まれるＩＤ情報の照合を行い、次のステップ１６２では、照合の結果、一致するＩＤがあったか否かを判定する。なお、ＩＤ情報の照合は、予めデジタルカメラ１０に登録されたＩＤ情報と受信した撮影依頼情報に含まれるＩＤ情報との比較により実行される。
【００９２】
ステップ１６２で肯定判定となった場合は、ステップ１６４に移行して、撮影依頼情報に含まれる位置情報のプロテクトを解除した後にステップ１６６に移行する。一方、ステップ１６２で否定判定となった場合は、本撮影依頼受信処理を終了する。すなわち、本変形例では、デジタルカメラ１０は、予めデジタルカメラ１０にＩＤ情報が登録されている撮影依頼端末６０からの撮影依頼だけを受け入れる。
【００９３】
ステップ１６６では、依頼者（撮影依頼端末６０）の位置情報Ｑを特定し、その後にステップ１６８に移行して、自己（デジタルカメラ１０）の位置情報Ｐ及びデジタルカメラ１０のレンズが向けられている方向を示す方位情報Ｒを検出する。
【００９４】
次のステップ１７０では、位置情報Ｑ及び位置情報Ｐに基づいて、デジタルカメラ１０から依頼者までの距離Ｄと、依頼者の方位情報Ｓと、を導出し、その後にステップ１７２に移行する。
【００９５】
変形例１−１でも述べたように、デジタルカメラ１０の方位情報Ｒと依頼者の方位情報Ｓとが異なる場合、デジタルカメラ１０の撮影範囲には依頼者は存在しない（図８参照）。
【００９６】
そこで、ステップ１７２では、方位情報Ｒと方位情報Ｓとが一致するか否かを判定し、当該判定が否定判定となった場合はステップ１７４に移行して、依頼者のいる方向を示す誘導マーク７４を画面に表示し（例えば、図９（Ａ）参照）、その後再びステップ１６８に戻る。これにより、撮影者は依頼者のいる方向が把握しやすくなり、撮影者が、誘導マーク７４が示す方向にデジタルカメラ１０の向きを変えていくことで、徐々に方位情報Ｒと方位情報Ｓとの差が縮まっていく。
【００９７】
また、ステップ１７２で肯定判定となった場合はステップ１７８に移行して、距離Ｄを画面に表示し、その後にステップ１８０に移行して、距離Ｄに応じて合焦位置を固定し、その後にステップ１８２に移行して、合焦被写体があるか否かを判定する。ステップ１８２で否定判定となった場合は再びステップ１６８に戻る。
【００９８】
ステップ１８２で肯定判定となった場合はステップ１８４に移行して、合焦被写体にターゲットマーク７６を表示し（例えば、図９（Ｂ）参照）、その後にステップ１８６に移行する。
【００９９】
ステップ１８６では、レリーズボタン５６Ａの操作に基づく撮影処理を実行し、その後に本撮影依頼受信処理を終了する。
【０１００】
（変形例１−３）
本変形例１−３では、デジタルカメラ１０において、メニュー画面等により撮影依頼情報を受け入れ可否及び受け入れ条件（撮影依頼端末６０との距離、特定のＩＤ）等を設定可能に構成した場合について説明する。
【０１０１】
なお、本変形例１−３では、撮影依頼受信処理プログラムは上記第１実施形態と異なる。また、本変形例１−３に係るデジタルカメラ１０の構成及び撮影依頼端末６０Ａの構成については、上記第１実施形態に係る構成と同一部位については同一の符号を付して記載し、ここでの図示及び説明を省略する。
【０１０２】
本変形例１−３に係る撮影依頼端末６０Ａは、上記依頼ボタン６２の他に、更に撮影指示ボタン６３を備えて構成されている。撮影依頼端末６０Ａは、撮影指示ボタン６３の操作状態に応じて、操作状態を示す情報をＩＤ情報と共に発信する。
【０１０３】
これにより、デジタルカメラ１０において、撮影依頼端末６０Ａの撮影指示ボタン６３の操作を有効にする（受け付ける）リモート撮影を行うか否かを設定可能に構成した場合について説明する。
【０１０４】
図１１は、デジタルカメラ１０で撮影依頼情報を受信した場合に、ＣＰＵ３２により実行される撮影依頼受信処理プログラムの処理の流れを示すフローチャートである。以下、同図を参照して本変形例１−３に係る撮影依頼受信処理について説明する。
【０１０５】
まず、ステップ２００では、撮影依頼情報の受け入れを許可する設定がされているか否かを判定し、当該判定が肯定判定となった場合はステップ２０２に移行する。一方、ステップ２００で否定判定となった場合は、本撮影依頼受信処理を終了する。すなわち、本変形例１−３では、デジタルカメラ１０は、予め撮影依頼情報の受け入れが許可されている場合にだけ撮影依頼を受け入れる。
【０１０６】
ステップ２０２では、受信した撮影依頼情報に含まれるＩＤ情報の照合を行い、次のステップ２０４では、照合の結果、一致するＩＤがあったか否かを判定する。なお、ＩＤ情報の照合は、予めデジタルカメラ１０に登録されたＩＤ情報と受信した撮影依頼情報に含まれるＩＤ情報との比較により実行される。
【０１０７】
ステップ２０４で肯定判定となった場合は、ステップ２０６に移行して、特定の端末か否かを判定する。ステップ２０６で肯定判定となった場合はステップ２０８に移行して、撮影依頼情報に含まれる位置情報のプロテクトを解除した後にステップ２１０に移行する。
【０１０８】
一方、ステップ２０４又はステップ２０６で否定判定となった場合は、本撮影依頼受信処理を終了する。すなわち、デジタルカメラ１０は、予めデジタルカメラ１０にＩＤ情報が登録されており、かつ、予め設定された特定の撮影依頼端末６０Ａからの撮影依頼だけを受け入れる。
【０１０９】
ステップ２１０では、依頼者（撮影依頼端末６０Ａ）の位置情報Ｑを特定し、その後にステップ２１２に移行して、自己（デジタルカメラ１０）の位置情報Ｐを検知し、次のステップ２１４では、デジタルカメラ１０のレンズが向けられている方向を示す方位情報Ｒを検出する。
【０１１０】
次のステップ２１６では、位置情報Ｑ及び位置情報Ｐとの距離を依頼者との距離Ｄとして導出し、その後にステップ２１８に移行する。
【０１１１】
ステップ２１８では、距離Ｄが所定距離よりも短いか否かを判定し、当該判定が肯定判定となった場合はステップ２２０に移行する。一方、ステップ２１８で否定判定となった場合は本撮影依頼受信処理を終了する。すなわち、本変形例１−３では、デジタルカメラ１０からの距離が所定の範囲内の撮影依頼端末６０Ａからの撮影依頼だけを受け入れる。
【０１１２】
ステップ２２０では、依頼者の位置情報Ｑとデジタルカメラ１０の現在の位置情報Ｐとの関係を示す案内画面を生成し、その後にステップ２２２に移行して、生成した案内画面をＬＣＤ３０に表示した後にステップ２２４に移行する。
【０１１３】
ステップ２２４では、リモート撮影を行う設定がされているか否かを判定し、当該判定が肯定判定となった場合はステップ２２６に移行して、撮影依頼端末６０Ａからの撮影指示ボタン６３の操作状態に基づいて撮影処理を実行し、その後に本撮影依頼受信処理を終了する。
【０１１４】
なお、撮影指示ボタン６３の操作状態に基づく撮影処理では、デジタルカメラ１０で撮影指示ボタン６３が押下操作されたことを示す情報を受信したタイミングで、上記レリーズボタン５６Ａが半押し状態とされた場合に実行するＡＦ機能及びＡＷＥ機能の実行等、撮影に必要な処理を実行し、各処理が完了した時点で撮影（画像情報の記憶）を実行する。
【０１１５】
一方、ステップ２２４で否定判定となった場合はステップ２２８に移行して、レリーズボタン５６Ａの操作に基づく撮影処理を実行した後に本撮影依頼受信処理を終了する。
【０１１６】
なお、本第１実施形態及び変形例１−１〜変形例１−３では、デジタルカメラ１０と撮影依頼端末６０とで直接通信を行って撮影を行う形態について説明したが、図１２に示されるように、デジタルカメラ１０と撮影依頼端末６０との通信をサーバ８０を介して行う形態とすることもできる。この場合、ＩＤ情報の照合やプロテクトの解除等の処理は、サーバ８０により行うようにしてもよい。
【０１１７】
（変形例１−４）
本変形例１−４では、サーバ８０により動作制御される固定カメラ１０Ａを用いた形態について説明する。
【０１１８】
図１３には、撮影依頼端末６０から撮影依頼情報を受信した場合にサーバ８０により実行される撮影依頼受信処理の流れが示されている。以下、同図を参照して、本変形例１−４に係る撮影依頼受信処理について説明する。
【０１１９】
まず、ステップ２７４では、受信した撮影依頼情報に含まれるＩＤ情報の照合を行い、次のステップ２７６では、照合の結果、一致するＩＤがあったか否かを判定する。なお、ＩＤ情報の照合は、予めサーバ８０に登録されたＩＤ情報と受信した撮影依頼情報に含まれるＩＤ情報との比較により実行される。
【０１２０】
ステップ２７６で肯定判定となった場合は、ステップ２７８に移行して、撮影依頼情報に含まれる位置情報のプロテクトを解除した後にステップ２８０に移行する。一方、ステップ２７８で否定判定となった場合は、本撮影依頼受信処理を終了する。すなわち、本変形例では、サーバ８０は、予めサーバ８０にＩＤ情報が登録されている撮影依頼端末６０からの撮影依頼だけを受け入れる。
【０１２１】
また、ステップ２８０では、依頼者（撮影依頼端末６０）の位置情報Ｑを特定し、その後にステップ２８２に移行して、特定した位置情報Ｑが固定カメラ１０Ａの撮影範囲内か否かを判定し、当該判定が肯定判定となった場合はステップ２８４に移行して固定カメラ１０Ａに撮影指示を送信し、撮影を行ない、その後にステップ２８６に移行する。
【０１２２】
すなわち、サーバ８０では、図１４に示されるように、固定カメラ１０Ａの撮影範囲内、例えば、同図にＡで示す位置から撮影依頼情報が発信された場合には撮影依頼を受け付け、固定カメラ１０Ａの撮影範囲外、例えば、同図にＢで示す位置から撮影依頼情報が発信された場合には、撮影依頼を受け付けない。
【０１２３】
ステップ２８６では、撮影による画像情報の取得待ちを行い、次のステップ２８８では、取得した画像情報にＩＤ情報を付加して格納する。
【０１２４】
なお、この場合、画像情報の格納先は、固定カメラ１０Ａでもサーバ８０でもよく、双方に格納する形態としてもよい。
【０１２５】
また、複数台の固定カメラ１０Ａをサーバ８０により管理する場合、各固定カメラ１０Ａの撮影範囲について、依頼者の位置情報Ｑが含まれるかを判定し、撮影範囲に位置情報Ｑを含む固定カメラ１０Ａがある場合に、当該固定カメラ１０Ａを用いて撮影を行なう形態とすることもできる。
【０１２６】
（第２実施形態）
上記第１実施形態では、撮影した画像情報をデジタルカメラ１０で記憶・管理する形態について説明したが、本第２実施形態では、撮影した画像情報をサーバ８０で記憶・管理する形態について説明する。
【０１２７】
なお、本第２実施形態に係るデジタルカメラ１０の構成及び撮影依頼端末６０の構成において、上記第１実施形態に係る構成と同一部位については同一の符号を付して記載し、ここでの図示及び説明を省略する。
【０１２８】
図１５に示されるように、撮影依頼端末６０からの撮影依頼情報は、サーバ８０を介してデジタルカメラ１０に送信される。これにより、デジタルカメラ１０では、上記第１実施形態及び上記各変形例で説明したようにして撮影を行い、撮影によって取得された画像情報に依頼者のＩＤ情報を付加してサーバ８０に送信する。
【０１２９】
サーバ８０は、ＩＤ情報格納部９０と、画像情報格納部９２と、を含んで構成されている。ＩＤ情報格納部９０は、予めサーバ８０を利用するデジタルカメラ１０及び撮影依頼端末６０のＩＤ情報がそれぞれ格納される。
【０１３０】
また、画像情報格納部９２には、デジタルカメラ１０により撮影されて送信されてきた画像情報を蓄積記憶しておく。
【０１３１】
サービス端末８２は、ユーザインタフェースとして構成されており、ユーザが使用した撮影依頼端末６０のＩＤ情報、提供を受ける画像情報に施したい画像処理の選択や、画像情報の提供形態（プリント出力か記録メディア等への出力か）等の情報を受け付ける。サービス端末８２では、ＩＤ情報及びユーザが撮影依頼した画像情報を検索する旨を示す検索情報をサーバ８０に送信する。また、サービス端末８２では、ＩＤ情報と、提供を受けたい画像情報の選択情報を含む要求情報をサーバ８０に送信する。なお、要求情報には、提供時の画像処理や提供形態等の情報等も含めることができる。
【０１３２】
サーバ８０では、ＩＤ情報格納部９２に格納されたＩＤ情報と、サービス端末８２から受信したＩＤ情報とが一致した場合に、画像情報格納部９２に記憶された画像情報の検索及び提供を行なう。
【０１３３】
なお、本第２実施形態では、デジタルカメラ１０により撮影した画像情報の提供に関する処理が上記第１実施形態と異なるものであり、他の処理は上記第１実施形態と同様であるので、その説明を省略する。
【０１３４】
図１６は、サーバ８０において、サービス端末８２から検索情報を受信した場合に実行される画像情報提供処理の流れを示すフローチャートである。以下、同図を参照して本第２実施形態に係る画像情報提供処理について説明する。
【０１３５】
まず、ステップ２４０では、検索情報に含まれるＩＤ情報をＩＤ情報格納部９０に格納されたＩＤ情報と照合し、次のステップ２４２では、一致するＩＤ情報があったか否かを判定する。ステップ２４２で否定判定となった場合はステップ２４４に移行して、利用できない旨の通知指示をサービス端末８２に送信することにより、ユーザに利用できないことを通知し、その後に本画像情報提供処理を終了する。
【０１３６】
ステップ２４２で肯定判定となった場合はステップ２４６に移行して、画像情報格納部９２に画像情報に付加されたＩＤ情報が検索情報に含まれるＩＤ情報と一致する画像情報を検索して読み出し、その後にステップ２４８に移行する。
【０１３７】
ステップ２４８では、ＩＤ情報が一致する画像情報が存在するか否かを判定し、当該判定が否定判定となった場合はステップ２５０に移行して、画像がない旨の通知指示をサービス端末８２に送信することにより、ユーザに検索結果を通知し、その後に本画像情報提供処理を終了する。
【０１３８】
一方、ステップ２４８で肯定判定となった場合は、ステップ２５２に移行して、ＩＤ情報が一致した画像情報のサムネイル画像をサービス端末８２に送信し、その後にステップ２５４に移行する。
【０１３９】
ステップ２５４では、要求情報の受信待ちを行い、次のステップ２５６では、要求情報に応じた処理を施した画像情報を送信し、その後に本画像情報提供処理を終了する。
【０１４０】
なお、本第２実施形態では、サーバ８０により、サービス端末８２に対して、検索結果としてサムネイル画像を送信し、要求情報に基づいて画像処理を施して画像を送信する形態について説明したが、検索結果としてＩＤ情報が一致する画像情報の全てをサービス端末８２に送信し、ステップ２５４及び２５６の処理に相当する処理をサービス端末８２側で行なう形態としてもよい。
【０１４１】
また、ユーザが選択した提供形態で画像情報を提供する際に、課金してもよい。
【０１４２】
（変形例２−１）
上記第２実施形態では、デジタルカメラ１０は、撮影により取得した画像情報にＩＤ情報を付加してサーバ８０に送信する形態について説明したが、本変形例２−１では、サーバ８０において、デジタルカメラ１０から送信された画像情報により示される画像に予め登録された顔が含まれるか否かを判定する形態について説明する。
【０１４３】
なお、本変形例２−１に係るデジタルカメラ１０の構成及び撮影依頼端末６０の構成において、上記第２実施形態に係る構成と同一部位については同一の符号を付して記載し、ここでの図示及び説明を省略する。
【０１４４】
また、顔情報は、撮影依頼端末６０のＩＤ情報の登録と共にサーバ８０に登録されるものとし、デジタルカメラ１０では、撮影依頼受信処理において、撮影により取得した画像情報にＩＤ情報を付加してサーバ８０に送信するものとして説明する。
【０１４５】
図１７は、サーバ８０において、デジタルカメラ１０から送信された画像情報を受信した場合に実行される画像情報受信処理の流れを示すフローチャートであり、以下、同図を参照して本変形例２−１に係る画像情報受信処理について説明する。
【０１４６】
まず、ステップ２６０では、画像情報に付加されたＩＤ情報を特定し、その後にステップ２６２に移行して、ＩＤ情報に応じた顔情報を読出す。なお、当該顔情報は、顔を撮影して得られた画像情報でもよいし、輪郭情報等、画像情報から抽出される特定の物理量でもよい。
【０１４７】
次のステップ２６４では、受信した画像情報について、ステップ２６２で読み出した顔情報を用いて登録された顔を示す領域の検出を行い、その後にステップ２６６に移行する。例えば、図１８に示されるように、依頼者Ｔの付近に多くの人物が存在する環境では、依頼者Ｔの特定が正確に行えない場合がある。この場合、誤った範囲９９の画像が撮影されるので、依頼者Ｔの顔は画像に含まれないことになる。
【０１４８】
ステップ２６６では、登録された顔と一致する顔があったか否かを判定し、当該判定が否定判定となった場合はステップ２６８に移行して、デジタルカメラ１０に対して再撮影指示を送信し、その後に本画像情報受信処理を終了する。
【０１４９】
デジタルカメラ１０では、再撮影指示を受信した場合、その旨を示す情報をＬＣＤ３０に表示し、再撮影を促す。これにより、撮影者は撮影範囲９９が誤りであったことを把握できるので、誤っていた撮影範囲９９に含まれなかった人物が撮影範囲に入るように撮影範囲を微調整し、再度撮影を行なう。デジタルカメラ１０では、撮影により取得された画像情報にＩＤ情報を付加して再度サーバ８０に送信する。
【０１５０】
この再撮影を繰り返し、例えば撮影範囲が図１８に示す撮影範囲９８となった場合には、登録された依頼者Ｔがふくまれるので、登録された顔との一致度が所定レベル以上となり、ステップ２６６で肯定判定となってステップ２７０に移行し、受信した画像を画像情報格納部９２に格納し、その後に本画像情報受信処理を終了する。
【０１５１】
なお、サーバ８０では、画像情報受信処理を終了する際に、デジタルカメラ１０に対して送信済みの画像の消去指示を送信するようにしてもよい。
【０１５２】
（第３実施形態）
上記各実施形態では、撮影依頼端末６０を用いてデジタルカメラ１０による撮影を依頼する形態について説明したが、本第３実施形態では、撮影依頼端末用いることなく、デジタルカメラにより被写体の位置情報を特定する形態について説明する。
【０１５３】
なお、本第３実施形態に係るデジタルカメラ１０の構成は、上記第１実施形態に係るデジタルカメラ１０の構成（図１及び図２参照）と同様であるので、同一の符号を付して記載し、ここでの図示及び説明を省略する。
【０１５４】
また、本第３実施形態では、撮影処理に特徴があり、他の処理については、適宜上記各実施形態や変形例と同様の処理を行う構成とすることもできるし、上記各実施形態や変形例と同様の処理を行わない構成とすることもできる。
【０１５５】
図１９には、モード切替スイッチ５６Ｃにより撮影モードが選択されている場合に、ＣＰＵ３２により所定期間毎に実行される撮影処理プログラムの処理の流れが示されている。以下、同図を参照して、本第３実施形態に係る撮影処理について説明する。
【０１５６】
まず、ステップ３００では、カメラの位置情報Ｐ及び方位情報Ｒを取得し、その後にステップ３０２に移行して、レリーズボタン５６Ａの操作状態が半押し状態であるか否かを判定する。ステップ３０２で否定判定となった場合は本撮影処理を終了する。
【０１５７】
また、ステップ３０２で肯定判定となった場合はステップ３０４に移行して、ＡＦ機能を働かせてＡＦ制御を行い、その後にステップ３０６に移行して、位置情報Ｐ、方位情報Ｒ及び合焦位置に基づいて合焦被写体の位置を検知する。具体的には、合焦被写体までの距離Ｄを導出し、位置情報Ｐから方位情報Ｒの方向に距離Ｄだけ離れた位置を合焦被写体の位置として検知する。
【０１５８】
次のステップ３０８では、レリーズボタン５６Ａが引き続き全押し状態まで操作されたか否かを判定し、当該判定が否定判定となった場合はステップ３１０に移行する。ステップ３１０では、レリーズボタン５６Ａの半押し状態が解除されたか否かを判定し、当該判定が否定判定となった場合は再びステップ３０８に戻る。一方、ステップ３１０で肯定判定となった場合は、本撮影処理を終了する。
【０１５９】
ステップ３０８で肯定判定となった場合は、ステップ３１２に移行してＣＣＤ１４を介して画像情報を取得し、その後にステップ３１３に移行して、上記ステップ３０６で検知した合焦被写体の位置情報及び画像情報の取得日時を示す撮影時間情報を撮影情報として画像情報に付加して記憶し、その後に本撮影処理を終了する。
【０１６０】
図２０には、本第３実施形態に係る撮影処理により取得される画像情報８８及び当該画像情報８８に付加される撮影情報８９の一例が示されている。同図に示されるように、１の画像情報８８に対して１の撮影情報８９が付加される。
【０１６１】
図２１には、このようにして取得された画像情報８８及び撮影情報８９を利用するための構成の一例が示されている。同図に示されるように、デジタルカメラ１０により取得された撮影情報９８が付加された画像情報８８は、ＰＣやカメラ、携帯電話等により構成された画像提供者側装置９３によってサーバ８０に送信され、サーバ８０の画像情報格納部９２に格納される。
【０１６２】
また、サーバ８０は、検索部９６と、画像提供処理部９８と、を含んで構成されており、画像提供処理部９８は、パーソナルコンピュータ（ＰＣ）やカメラ、携帯電話等により構成された利用者側装置９５から送信された画像要求情報に基づいて検索部９６を介して画像情報格納部９２に格納された画像情報から要求された画像情報を検索し、ＰＣ８４に出力する。
【０１６３】
ここで、図２２には、画像情報格納部９２に格納された画像情報８８に付加された撮影情報９８の一例がカメラ毎（画像提供者毎）に示されている。同図に示される丸付き数字は、それぞれ数字が同じものは一致するデータを示している。同図に示す例では、カメラ１の太枠で示す撮影情報と、カメラ４の太枠で示す撮影情報とが、一致している。
【０１６４】
図２３には、画像要求情報を受信した場合にサーバ８０で実行される画像情報提供処理の流れが示されている。以下、同図を参照して本第３実施形態に係る画像情報提供処理について説明する。
【０１６５】
まず、ステップ３５０では、検索条件の特定を行い、次のステップ３５２では、特定した検索条件を満たす撮影情報８９を検索する。次のステップ３５４では、検索の結果、条件を満たす情報があるか否かを判定し、当該判定が否定判定となった場合はステップ３５６に移行して、条件を満たす画像情報８８がないことを通知し、その後に本画像情報提供処理を終了する。
【０１６６】
一方、ステップ３５４で肯定判定となった場合はステップ３５８に移行して、検索条件を満たす撮影情報９８が付加された画像情報８８を読出した後にステップ３６０に移行して、サムネイル画像を送信し、その後にステップ３６２に移行する。
【０１６７】
ステップ３６２では、画像要求情報の受信待ちを行い、次のステップ３６４では、画像要求情報に基づいて要求された画像情報を送信し、その後に本画像情報提供処理を終了する。
【０１６８】
（変形例３−１）
上記第３実施形態で説明した撮影処理では、ＡＦ制御を行った領域の被写体の位置を検知する形態について説明したが、本変形例３−１では、顔検出により全ての被写体の位置を特定し、各被写体について位置を検知する形態について説明する。
【０１６９】
なお、本変形例３−１は、撮影処理は上記第３実施形態と異なるが、デジタルカメラ１０の構成及び撮影依頼端末６０の構成は上記第３実施形態に係る構成と同一であるので、同一の符号を付して記載し、ここでの図示及び説明を省略する。
【０１７０】
図２４には、モード切替スイッチ５６Ｃにより撮影モードが選択されている場合に、ＣＰＵ３２により所定期間毎に実行される撮影処理プログラムの処理の流れが示されている。以下、同図を参照して、本変形例３−１に係る撮影処理について説明する。
【０１７１】
まず、ステップ３２０では、カメラの位置情報Ｐ及び方位情報Ｒを取得し、その後にステップ３２２に移行して、レリーズボタン５６Ａの操作状態が半押し状態であるか否かを判定する。ステップ３２２で否定判定となった場合は本撮影処理を終了する。
【０１７２】
また、ステップ３２２で肯定判定となった場合はステップ３２３に移行し、顔検出を行う。次のステップ３２４では、検出された顔のそれぞれについてＡＦ機能を用いて位置情報を検知し、その後にステップ３２６に移行してＡＦ機能を働かせてＡＦ制御を行う。具体的には、各顔を示すエリアについて合焦位置までの距離Ｄを導出し、位置情報Ｐから方位情報Ｒの方向に距離Ｄだけ離れた位置を各顔の位置として検知する。
【０１７３】
次のステップ３２８では、レリーズボタン５６Ａが引き続き全押し状態まで操作されたか否かを判定し、当該判定が否定判定となった場合はステップ３３０に移行する。ステップ３３０では、レリーズボタン５６Ａの半押し状態が解除されたか否かを判定し、当該判定が否定判定となった場合は再びステップ３２８に戻る。一方、ステップ３３０で肯定判定となった場合は、本撮影処理を終了する。
【０１７４】
ステップ３２８で肯定判定となった場合は、ステップ３３２に移行してＣＣＤ１４を介して画像情報を取得し、その後にステップ３３４に移行して、ステップ３２６のＡＦ制御においてＡＦ領域とされた被写体を主要被写体として設定し、次のステップ３３６では、上記ステップ３２４で検知した位置情報及び画像情報の取得日時を示す撮影時間情報を撮影情報として画像情報に付加して記憶し、その後に本撮影処理を終了する。
【０１７５】
図２５には、本変形例３−１に係る撮影処理により取得される画像情報８８及び当該画像情報８８に付加される撮影情報８９の一例が示されている。同図に示されるように、１の画像情報８８に対して検出された顔の数（同図に示す例では３つ）の撮影情報８９がそれぞれ付加される。
【０１７６】
ここで、上記撮影処理においては、ＡＦ制御時のＡＦ領域に位置する被写体を自動的に主要被写体として設定するが、実際には主要被写体を変更したい場合がある。
【０１７７】
そこで、図２６には、画像情報８８の何れかが表示された状態で、不図示のメニュー画面等が表示され、主要被写体の設定処理の実行が選択された場合にＣＰＵ３２により実行される主要被写体設定処理プログラムの処理の流れが示されている。以下、同図を参照して、本変形例３−１に係る主要被写体設定処理について説明する。
【０１７８】
まず、ステップ３４０では、画像情報８８及び撮影情報８９をＬＣＤ３０に表示し、次のステップ３４４では、何れかの撮影情報８９の選択待ちを行う。
【０１７９】
次のステップ３４６では、選択された撮影情報８９を主要被写体の撮影情報８９として設定することにより主要被写体を変更し、その後に本主要被写体の設定処理を終了する。
【０１８０】
図２７には、本変形例３−１に係るサーバ８０の画像情報格納部９２に格納された画像情報８８に付加された撮影情報９８の一例がカメラ毎（画像提供者毎）に示されている。同図に示される丸付き数字は、それぞれ数字が同じものは一致するデータを示している。同図に示す例では、カメラ１の太枠で示す撮影情報と、カメラ２及びカメラ４の太枠で示す撮影情報とが、一致している。
【０１８１】
なお、画像情報提供処理としては、上記第３実施形態と同様の処理を適用できる。
【０１８２】
（変形例３−２）
本変形例３−２では、顔検出により全ての被写体の位置を特定し、各被写体について位置を検知して、顔情報についても画像情報に付加する形態について説明する。
【０１８３】
なお、本変形例３−２は、撮影処理は上記第３実施形態と異なるが、デジタルカメラ１０の構成及び撮影依頼端末６０の構成は上記第３実施形態に係る構成と同一であるので、同一の符号を付して記載し、ここでの図示及び説明を省略する。
【０１８４】
図２８には、モード切替スイッチ５６Ｃにより撮影モードが選択されている場合に、ＣＰＵ３２により所定期間毎に実行される撮影処理プログラムの処理の流れが示されている。以下、同図を参照して、本変形例３−２に係る撮影処理について説明する。
【０１８５】
まず、ステップ３７０では、カメラの位置情報Ｐ及び方位情報Ｒを取得し、その後にステップ３７２に移行して、レリーズボタン５６Ａの操作状態が半押し状態であるか否かを判定する。ステップ３７２で否定判定となった場合は本撮影処理を終了する。
【０１８６】
また、ステップ３７２で肯定判定となった場合はステップ３７３に移行し、顔検出を行う。次のステップ３７４では、検出された顔のそれぞれについてＡＦ機能を用いて位置情報を検知し、その後にステップ３７６に移行してＡＦ機能を働かせてＡＦ制御を行う。具体的には、各顔を示すエリアについて合焦位置までの距離Ｄを導出し、位置情報Ｐから方位情報Ｒの方向に距離Ｄだけ離れた位置を各顔の位置として検知する。
【０１８７】
次のステップ３７８では、レリーズボタン５６Ａが引き続き全押し状態まで操作されたか否かを判定し、当該判定が否定判定となった場合はステップ３８０に移行する。ステップ３８０では、レリーズボタン５６Ａの半押し状態が解除されたか否かを判定し、当該判定が否定判定となった場合は再びステップ３７８に戻る。一方、ステップ３８０で肯定判定となった場合は、本撮影処理を終了する。
【０１８８】
ステップ３７８で肯定判定となった場合は、ステップ３８２に移行してＣＣＤ１４を介して画像情報を取得し、その後にステップ３８４に移行して、ステップ３７６のＡＦ制御においてＡＦ領域とされた被写体を主要被写体として設定し、次のステップ３８６では、上記ステップ３７４で検知した位置情報、顔情報及び画像情報の取得日時を示す撮影時間情報を撮影情報として画像情報に付加して記憶し、その後に本撮影処理を終了する。
【０１８９】
図２９には、本変形例３−２に係るサーバ８０の画像情報格納部９２に格納された画像情報８８に付加された撮影情報９８の一例がカメラ毎（画像提供者毎）に示されている。同図に示される丸付き数字は、それぞれ数字が同じものは一致するデータを示している。同図に示す例では、カメラ１の太枠で示す撮影情報と、カメラ２及びカメラ４の太枠で示す撮影情報とが、一致している。
【０１９０】
なお、画像情報提供処理としては、上記第３実施形態と同様の処理を適用できる。
【０１９１】
（変形例３−３）
変形例３−３として、画像提供者側が表示制限を設定可能な形態について説明する。
【０１９２】
なお、本変形例３−３において、上記第３実施形態と同じ処理や同じ構成については、同一の符号を付して記載し、ここでの図示及び説明を省略する。
【０１９３】
図３０には、変形例３−３に係るサーバ８０による画像情報提供処理に関する機能ブロック図が示されている。同図に示されるように、サーバ８０は、表示制限情報格納部９４を備えており、画像提供者側装置９３から送信された表示制限情報が格納される。
【０１９４】
表示制限情報格納部９４は、画像提供処理部９８に接続されている。画像提供処理部９８では、利用者側装置９８に画像情報を送信する際には、表示制限情報格納部９４を参照して表示制限情報に基づく画像処理を施してから送信する。
【０１９５】
例えば、図３１に示されるように、画像提供者Ｔの顔の解像度を低くして表示することを示す情報を表示制限情報として設定することができる。なお、同図に斜線塗り潰しで示す領域は、他の領域よりも解像度が低いことを示している。また、当該設定を行なう際には、画像提供者Ｔの顔を検出するために必要な顔情報も予め表示制限情報に含めて登録しておく必要がある。
【０１９６】
また、図３２及び図３３に示されるように、同じ被写体Ｔを撮影位置ＰＡから撮影した場合の画像情報８８Ａ（図３２（Ａ）参照）と、撮影位置ＰＢから撮影した場合の画像情報８８Ｂ（図３３（Ａ）参照）とでは、被写体Ｔと撮影位置Ｐとの距離Ｄが異なるため、画像情報における被写体を示す領域の大きさが異なる。
【０１９７】
そこで、図３２（Ａ）に示されるように、距離Ｄが所定距離よりも短い場合は解像度を下げる一方、図３３（Ａ）に示されるように、距離Ｄが所定距離よりも長い場合には解像度を下げない、という設定を可能に構成してもよい。
【０１９８】
さらに、図３４に示されるように、利用者の顔が含まれる画像情報８８を提供する際に、利用者Ｒ以外の顔の解像度を低くしてから画像情報を提供する設定を可能に構成してもよい。
【０１９９】
また、図３５に示されるように、利用者Ｒの顔を含む画像情報８８のうち、利用者Ｒの顔をトリミングした画像情報８８Ｔを提供するようにしてもよい。なお、トリミングした画像情報８８Ｔを提供する場合、元の画像情報８８にトリミング位置を示す枠Ｔを付した画像情報８８のサムネイル画像を添付して提供してもよい。
【０２００】
なお、図３６に示されるように、利用者Ｒの顔情報を複数登録しておき、同図に星印を付して示すように、何れか１つをベストショットとして選択可能に構成し、サーバに格納された画像情報から抽出した利用者Ｒの顔を含む画像の中から、更にベストショットとして選択された顔との一致度が最も高い画像情報を抽出可能に構成してもよい。
【０２０１】
なお、以上の各実施形態で説明したデジタルカメラ１０の構成や各種処理の流れは一例であり、本発明の主旨を逸脱しない範囲内において適宜変更可能であることは言うまでもない。
【０２０２】
例えば、上記各実施形態では、デジタルカメラ１０に距離導出回路５４を搭載し、当該距離導出回路５４により被写体との距離を導出する形態について説明したが、本発明はこれに限定されるものではない。例えば、距離導出回路５４を搭載することなく、ＣＰＵにより距離導出プログラムを実行することにより導出するように構成してもよい。
【図面の簡単な説明】
【０２０３】
【図１】実施形態に係るデジタルカメラの外観を示す外観図である。
【図２】実施形態に係るデジタルカメラの電気系の構成を示すブロック図である。
【図３】第１実施形態に係るデジタルカメラと撮影依頼端末とからなる撮影システムの概略図である。
【図４】撮影依頼端末の機能を示す機能ブロック図である。
【図５】第１実施形態に係る撮影依頼受信処理の流れを示すフローチャートである。
【図６】第１実施形態に係る撮影依頼受信処理によりＬＣＤに案内画面の一例が表示された状態を示す模式図である。
【図７】変形例１−１に係る撮影依頼受信処理の流れを示すフローチャートである。
【図８】方位情報に関する説明図である。
【図９】変形例１−１に係る撮影依頼受信処理の実行時におけるＬＣＤの表示状態の一例をそれぞれ示す模式図である。
【図１０】変形例１−２に係る撮影依頼受信処理の流れを示すフローチャートである。
【図１１】変形例１−３に係る通常撮影処理の流れを示すフローチャートである。
【図１２】他の形態に係る撮影システムの構成例を示す概略図である。
【図１３】変形例１−４に係る撮影処理の流れを示すフローチャートである。
【図１４】固定カメラの撮影範囲と依頼者の位置との関係を示す模式図である。
【図１５】第２実施形態に係る画像情報提供システムの構成例を示す機能ブロック図である。
【図１６】第２実施形態に係る画像情報提供処理の流れを示すフローチャートである。
【図１７】変形例２−１に係る画像情報受信処理の流れを示すフローチャートである。
【図１８】変形例２−１に係る画像情報受信処理に関する説明図であり、画像情報により示される領域と被写体との関係を示す図である。
【図１９】第３実施形態に係る撮影処理の流れを示すフローチャートである。
【図２０】第３実施形態に係る撮影処理により取得される画像情報及び当該画像情報に付加される撮影情報の一例を示す模式図である。
【図２１】第３実施形態に係る画像情報及び撮影情報を利用するための構成の一例を示す機能ブロック図である。
【図２２】第３実施形態に係る画像情報格納部に格納された画像情報に付加された撮影情報の一例をカメラ毎（画像提供者毎）に示す図表である。
【図２３】第３実施形態に係るサーバにより画像要求情報を受信した場合に実行される画像情報提供処理の流れを示すフローチャートである。
【図２４】変形例３−１に係る撮影処理の流れを示すフローチャートである。
【図２５】本変形例３−１に係る撮影処理により取得される画像情報及び当該画像情報に付加される撮影情報の一例を示す模式図である。
【図２６】変形例３−１に係る主要被写体設定処理の流れを示すフローチャートである。
【図２７】変形例３−１に係るサーバの画像情報格納部に格納された画像情報に付加された撮影情報の一例をカメラ毎（画像提供者毎）に示す図表である。
【図２８】変形例３−２に係る撮影処理の流れを示すフローチャートである。
【図２９】変形例３−２に係るサーバの画像情報格納部に格納された画像情報に付加された撮影情報の一例をカメラ毎（画像提供者毎）に示す図表である。
【図３０】変形例３−３に係るサーバによる画像情報提供処理に関する機能ブロック図である。
【図３１】表示制限の一例として、提供者を示す領域の解像度を低くする場合の説明図である。
【図３２】表示制限の一例として、提供者を示す領域の解像度を低くする場合の撮影距離に関する制限の説明図である。
【図３３】表示制限の一例として、提供者を示す領域の解像度を低くする場合の撮影距離に関する制限の説明図である。
【図３４】利用者の顔が含まれる画像情報を提供する際に、利用者以外の顔の解像度を低くしてから画像情報を提供する設定に関する説明図である。
【図３５】利用者の顔を含む画像情報のうち、利用者の顔をトリミングした画像情報を提供する場合の説明図である。
【図３６】利用者のベストショットとして選択された顔を含む画像情報の抽出に関する説明図である。
【符号の説明】
【０２０４】
１０    デジタルカメラ
１２    レンズ
１３    光学ユニット
１４    ＣＣＤ（撮像素子）
１６    ＣＤＳＡＭＰ
３０    ＬＣＤ
３２    ＣＰＵ（調整手段、取得手段、被写体位置特定手段）
３４    ＡＦ検出回路
４４    顔検出回路
４６    位置検知回路（位置検知手段）
４７    方位検出回路（方位検出手段）
５０    モータ駆動部
５２    通信制御回路
５４    距離導出回路（導出手段）
５６    操作部
【図１】
2009111827.tif 000003
【図２】
2009111827.tif 000004
【図３】
2009111827.tif 000005
【図４】
2009111827.tif 000006
【図５】
2009111827.tif 000007
【図６】
2009111827.tif 000008
【図７】
2009111827.tif 000009
【図８】
2009111827.tif 000010
【図９】
2009111827.tif 000011
【図１０】
2009111827.tif 000012
【図１１】
2009111827.tif 000013
【図１２】
2009111827.tif 000014
【図１３】
2009111827.tif 000015
【図１４】
2009111827.tif 000016
【図１５】
2009111827.tif 000017
【図１６】
2009111827.tif 000018
【図１７】
2009111827.tif 000019
【図１８】
2009111827.tif 000020
【図１９】
2009111827.tif 000021
【図２０】
2009111827.tif 000022
【図２１】
2009111827.tif 000023
【図２２】
2009111827.tif 000024
【図２３】
2009111827.tif 000025
【図２４】
2009111827.tif 000026
【図２５】
2009111827.tif 000027
【図２６】
2009111827.tif 000028
【図２７】
2009111827.tif 000029
【図２８】
2009111827.tif 000030
【図２９】
2009111827.tif 000031
【図３０】
2009111827.tif 000032
【図３１】
2009111827.tif 000033
【図３２】
2009111827.tif 000034
【図３３】
2009111827.tif 000035
【図３４】
2009111827.tif 000036
【図３５】
2009111827.tif 000037
【図３６】
2009111827.tif 000038